(57)【要約】      （修正有）【課題】簡単な構成で複数のアンテナ素子を効率よく利用できる無線通信装置を提供する。【解決手段】第１の周波数帯で共振する第１のアンテナ素子と、第１のアンテナ素子に設けられた第１の結合手段１１０と、第１のアンテナ素子に接続されて、第１の周波数帯で動作する第１の無線高周波回路部１０５と、を備える無線通信装置１０１は、第２の周波数帯で共振する第２のアンテナ素子を有する高機能無線アダプタ１０２が無線通信装置に接続されると、第１のアンテナ素子と第２のアンテナ素子が、第１の結合手段を介して結合して結合アンテナ素子となり、且つ、第１の無線高周波回路部と第１のアンテナ素子との接続が遮断される。結合アンテナ素子は、少なくとも、第２の周波数帯と、当該第２の周波数帯とは異なる第３の周波数帯とで共振する。【選択図】図１
2019216378.tif 000002
【特許請求の範囲】
【請求項１】
第１の周波数帯で共振する第１のアンテナ素子と、
前記第１のアンテナ素子に設けられた第１の結合手段と、
前記第１のアンテナ素子に接続されて、前記第１の周波数帯で動作する第１の無線高周波回路部と、を備える無線通信装置であって、
第２の周波数帯で共振する第２のアンテナ素子を有する無線機器が前記無線通信装置に接続されると、前記第１のアンテナ素子と前記第２のアンテナ素子は、前記第１の結合手段を介して結合して結合アンテナ素子となり、且つ、前記第１の無線高周波回路部と前記第１のアンテナ素子との接続は遮断され、
前記結合アンテナ素子は、少なくとも、前記第２の周波数帯と、当該第２の周波数帯とは異なる第３の周波数帯とで共振することができることを特徴とする無線通信装置。
【請求項２】
前記無線機器が前記無線通信装置に接続されたか否かを検出する検出手段と、
前記検出手段が前記接続を検出した場合、前記第１の無線高周波回路部と前記第１のアンテナ素子との接続を遮断する遮断手段と、
をさらに備える請求項１に記載の無線通信装置。
【請求項３】
前記検出手段が前記接続を検出した場合、前記第１の無線高周波回路部の動作を停止し、前記無線機器が備える無線高周波回路部を起動する制御手段をさらに備える請求項１または２に記載の無線通信装置。
【請求項４】
前記無線通信装置は、前記第１のアンテナ素子と前記第１の無線高周波回路とを収容する本体を有し、
前記無線機器が前記無線通信装置に接続されると、前記無線機器は、前記本体に付設される請求項１乃至３のいずれか１項に記載の無線通信装置。
【請求項５】
前記無線通信装置は、前記第１のアンテナ素子と前記第１の無線高周波回路とを収容する本体を有し、
前記本体は、前記無線機器とほぼ同形の凹部を有し、前記無線機器が前記無線通信装置に接続されると、前記無線機器は、前記凹部に収容される請求項１乃至３のいずれか１項に記載の無線通信装置。
【請求項６】
前記第１のアンテナ素子は基板上に設けられた導体パターンまたは線状導体を含み、前記結合アンテナ素子のアンテナ全長が前記第３の周波数の波長のおおよそ１／４になる請求項１乃至５のいずれか１項に記載の無線通信装置。
【請求項７】
前記第３の周波数帯は、前記第２の周波数帯より低い周波数帯である請求項１乃至６のいずれか１項に記載の無線通信装置。
【請求項８】
前記第１の周波数帯が前記第３の周波数帯と重複した周波数帯を持つ請求項１乃至７のいずれか１項に記載の無線通信装置。
【請求項９】
前記第１の周波数帯が前記第２の周波数帯と重複した周波数帯を持つ請求項１乃至８のいずれか１項に記載の無線通信装置。
【請求項１０】
前記第１の周波数帯が前記第２の周波数帯と異なる周波数帯であることを特徴とする請求項１乃至８のいずれか１項に記載の無線通信装置。
【請求項１１】
前記無線通信装置は、無線通信機能を有する撮像装置である請求項１乃至１０のいずれか１項に記載の無線通信装置。
【請求項１２】
第１の周波数帯で共振する第１のアンテナ素子を有する無線通信装置に接続される無線機器であって、
第２の周波数帯で共振する第２のアンテナ素子と、
前記第２のアンテナ素子に設けられた結合手段と、
前記第２のアンテナ素子に接続されて、前記第２の周波数帯を含む少なくとも２つ以上の周波数帯で動作する無線高周波回路部と、を備える無線機器であって、
前記無線通信装置に前記無線機器が接続されると、前記第１のアンテナ素子と前記第２のアンテナ素子は、前記結合手段を介して結合して結合アンテナ素子となり、
前記結合アンテナ素子は、少なくとも、前記第２の周波数帯と、前記第２の周波数帯とは異なる第３の周波数帯とで共振することができることを特徴とする無線機器。
【請求項１３】
前記結合手段は所定のフィルタリング機能を有するＲＬＣ回路を備え、当該ＲＬＣ回路のフィルタリング機能により、前記結合アンテナ素子が前記第２の周波数と前記第３の周波数とで共振できる請求項１２に記載の無線機器。
【請求項１４】
前記第２のアンテナ素子は基板上に設けられた導体パターンまたは線状導体を含み、前記結合アンテナ素子のアンテナ全長が前記第３の周波数の波長のおおよそ１／４になる請求項１２または１３に記載の無線機器。
【請求項１５】
前記第３の周波数帯は前記第２の周波数帯より低い周波数帯である請求項１２乃至１４のいずれか１項に記載の無線機器。
【請求項１６】
前記無線機器は、前記無線通信装置に接続して使用可能となる無線アダプタである請求項１２乃至１５のいずれか１項に記載の無線機器。
【請求項１７】
前記結合アンテナ素子の共振周波数変動を調整するための整合回路を、前記結合手段に設けた請求項１２乃至１６のいずれか１項に記載の無線機器。 
【発明の詳細な説明】
【技術分野】
【０００１】
本発明は無線通信装置に関する。
【背景技術】
【０００２】
近年、パーソナルコンピュータをはじめとする小型の電子機器では、無線ＬＡＮやＢｌｕｅｔｏｏｔｈ（登録商標）等の無線通信機能を備えたものが普及してきている。無線ＬＡＮ等の無線通信には、例えば２．４ＧＨｚ帯や５ＧＨｚ帯の周波数の電波が使用される。無線通信機能を備えたパーソナルコンピュータは、無線通信用のアンテナを内蔵している。内蔵されるアンテナは、例えば、モノポールアンテナ、ヘリカルアンテナ、逆Ｆアンテナなどである。
【０００３】
これらアンテナは電子機器の小型化やデザイン性の向上を目的として、電子機器内の限られた空間（設置場所）に実装されると共に、コストの低減も要求されてきている。そのため、電子機器の筐体からアンテナが突出する形で実装されるよりも、例えば無線モジュールチップと同一の基板上に導体パターンでアンテナを設けることが多くなっている。基板上に導体パターンでアンテナを設けると、アンテナは、外観視ではアンテナと判断できない様に電子機器筐体の内部に配置される。このようなアンテナの配置によって、デザイン性の向上と低コスト化を図ることができる。
【０００４】
一方、無線通信機能を備えた電子機器の普及に伴い、無線通信の規格や通信方式も機能向上を続けている。例えば、通信速度がより高速化された通信方式、より遠距離まで通信できるようにされた通信方式、超低消費電力で常時使用できるようにされた通信方式等が提案されている。
【０００５】
また、既に無線通信機能を備えている電子機器においても、オプションとして、より高性能な、もしくはより新しい無線規格（通信方式）に対応した無線アダプタを追加できる電子機器がある。追加される無線アダプタの無線機能は、内蔵している無線通信機能を包含できる場合がある。例えばＩＥＥＥ８０２．１１ｂ／ｇ／ｎ規格に対応した無線ＬＡＮ機能を搭載している電子機器に、より新しいＩＥＥＥ８０２．１１ａｃ規格に対応した無線ＬＡＮアダプタを追加する場合を考える。ＩＥＥＥ８０２．１１ｂ／ｇ／ｎ規格で無線通信を行う場合は、２．４ＧＨｚ帯で共振するアンテナが必要であり、ＩＥＥＥ８０２．１１ａｃ規格で無線通信を行う場合は、５ＧＨｚ帯で共振するアンテナが必要である。ＩＥＥＥ８０２．１１ａｃ規格に対応した無線ＬＡＮアダプタはＩＥＥＥ８０２．１１ｂ／ｇ／ｎ規格と下位互換性を有している。したがって、当該無線ＬＡＮアダプタを追加した後の電子機器は、ＩＥＥＥ８０２．１１ａｃ規格の無線通信だけでなく、ＩＥＥＥ８０２．１１ｂ／ｇ／ｎ規格の無線通信も行うことが可能になる。無線ＬＡＮアダプタが追加された電子機器がＩＥＥＥ８０２．１１ａｃ規格で通信するためには２．４ＧＨｚ帯に加え５ＧＨｚ帯での無線処理も必要となるため、新たに５ＧＨｚ帯でも共振するアンテナ素子が必要となる。また、電子機器をＩＥＥＥ８０２．１１ａｃ規格に対応させるだけでなくＩＥＥＥ８０２．１１ａｈ規格にも対応させる場合には、さらに９００ＭＨｚ帯に対応したアンテナ素子の追加が必要となる。
【０００６】
なお、電子機器にアダプタを取り付けるのではなく、電子機器の中に当初から２つのアンテナ素子が内蔵されている場合に、２つのアンテナ素子を結合して新たな周波数帯で動作させるアンテナ構造は特許文献１に提案されている。
【先行技術文献】
【特許文献】
【０００７】
【特許文献１】特開２０１１−６１７１２号公報
【発明の概要】
【発明が解決しようとする課題】
【０００８】
無線機能を備える電子機器にオプションで追加された無線アダプタが、当該無線機能を包含する場合、無線アダプタ接続時に当該無線機能を停止することになる。よって、性能的に重複する上位互換の無線アダプタを後から追加すると、不使用になるアンテナ素子が発生してしまう。
また、近年の無線ＩＣの小型化傾向の中にあって、アンテナ素子は、周波数に依存したサイズ（長さ）を必要とする。よって、無線アダプタにより追加する無線機能が、より低い周波数帯を使用する場合に、無線アダプタのアンテナ素子だけを使用するとすれば、無線アダプタは大きなサイズのアンテナ素子を備えなければならない。
本発明の１つの目的は、簡単な構成で複数のアンテナ素子を効率よく利用できる無線通信装置を提供することである。
【課題を解決するための手段】
【０００９】
本発明の１つの態様による無線通信装置は、第１の周波数帯で共振する第１のアンテナ素子と、前記第１のアンテナ素子に設けられた第１の結合手段と、前記第１のアンテナ素子に接続されて、前記第１の周波数帯で動作する第１の無線高周波回路部と、を備える無線通信装置であって、第２の周波数帯で共振する第２のアンテナ素子を有する無線機器が前記無線通信装置に接続されると、前記第１のアンテナ素子と前記第２のアンテナ素子は、前記第１の結合手段を介して結合して結合アンテナ素子となり、且つ、前記第１の無線高周波回路部と前記第１のアンテナ素子との接続は遮断され、前記結合アンテナ素子は、少なくとも、前記第２の周波数帯と、当該第２の周波数帯とは異なる第３の周波数帯とで共振することができる。
【００１０】
本発明の他の態様による無線機器は、第１の周波数帯で共振する第１のアンテナ素子を有する無線通信装置に接続される無線機器であって、第２の周波数帯で共振する第２のアンテナ素子と、前記第２のアンテナ素子に設けられた結合手段と、前記第２のアンテナ素子に接続されて、前記第２の周波数帯を含む少なくとも２つ以上の周波数帯で動作する無線高周波回路部と、を備え、前記無線通信装置に前記無線機器が接続されると、前記第１のアンテナ素子と前記第２のアンテナ素子は、前記結合手段を介して結合して結合アンテナ素子となり、前記結合アンテナ素子は、少なくとも、前記第２の周波数帯と、前記第２の周波数帯とは異なる第３の周波数帯とで共振することができる。
【発明の効果】
【００１１】
本発明によれば、簡単な構成で複数のアンテナ素子を効率よく利用できる。
【図面の簡単な説明】
【００１２】
【図１】本発明の実施形態に係る無線通信装置の基本構成図。
【図２】実施形態１および３におけるアダプタ接続時の概略図。
【図３】実施形態１におけるアンテナ接続構造を示す図。
【図４】実施形態１におけるアダプタ接続前のアンテナ特性図。
【図５】実施形態１におけるアダプタ接続後のアンテナ特性図。
【図６】実施形態２におけるアダプタ接続時の概略図。
【図７】実施形態２におけるアンテナ接続構造を示す図。
【図８】実施形態２における接続後のアンテナ特性図。
【図９】実施形態３におけるアンテナ接続構造を示す図。
【図１０】実施形態３における接続前のアンテナ特性図。
【図１１】実施形態３における接続後のアンテナ特性図。
【発明を実施するための形態】
【００１３】
以下、本発明の実施形態に係る無線通信装置について、図面を参照して詳細に説明する。なお、以下の実施形態は本発明を限定するものではなく、また、本実施形態で説明されている特徴の組み合わせの全てが本発明の解決手段に必須のものとは限らない。実施形態の構成は、本発明が適用される装置の仕様や各種条件（使用条件、使用環境等）によって適宜修正又は変更され得る。本発明の技術的範囲は、特許請求の範囲によって確定されるのであって、以下の個別の実施形態によって限定されない。
【００１４】
実施形態１
（無線通信装置の機能構成）
図１は本発明の実施形態１における無線通信装置１０１と高機能無線アダプタ１０２（以下、単に「アダプタ１０２」と称する）とからなるアダプタ付き無線通信装置１００の機能ブロック図である。無線通信装置１０１は、無線通信機能を備える。無線通信装置１０１には、アダプタ１０２が接続されている。アダプタ１０２はオプション製品であり、無線通信装置１０１に接続されて使用可能となる。無線通信装置１０１とアダプタ１０２は、無線機器の一例である。アダプタ１０２は、無線通信装置１０１と比較した場合、性能的に重複する上位互換の無線通信機能を有する。
無線通信装置１０１およびアダプタ１０２は、例えば、ＩＥＥＥ８０２．１１規格に準拠した無線ＬＡＮ等の無線通信を行う。無線通信には、近距離無線通信、例えばＢｌｕｅｔｏｏｔｈやＮｅａｒ Ｆｉｅｌｄ Ｃｏｍｍｕｎｉｃａｔｉｏｎ（ＮＦＣ）なども含まれる。
【００１５】
なお、図１には無線通信に関連する機能ブロックのみが示されている。例えば、無線通信装置１０１が無線通信機能を備えた撮像装置である場合、無線通信装置１０１は、撮像機能部（レンズ、ＣＣＤ等）およびユーザーインターフェース機能部（表示部等）を有する。撮像機能部やユーザーインターフェース機能部は、無線通信において使用されないので、図１には示されていない。
【００１６】
無線通信装置１０１は、制御部１０４と、第１のＲＦ回路１０５と、遮断スイッチ１０６と、第１のアンテナ素子１０７と、接続検出部１０８とを有する。ＲＦはＲａｄｉｏ  Ｆｒｅｑｕｅｎｃｙの略である。第１のアンテナ素子１０７は、第１の結合部１１０を有する。
制御部１０４は、通常時（アダプタ１０２が無線通信装置１０１に接続される前）、第１のＲＦ回路１０５を制御し無線通信を行っている。より詳しくは、制御部１０４は、遮断スイッチ１０６の切断／導通を制御し、遮断スイッチ１０６を導通（ＯＮ）にしている。遮断スイッチ１０６が導通であれば、第１のＲＦ回路１０５のアンテナ出力は、遮断スイッチ１０６を通して第１のアンテナ素子１０７に接続される。制御部１０４は、例えば、１つまたは複数のＣＰＵやＭＰＵにより構成される。
アダプタ１０２が無線通信装置１０１に接続され、制御部１０４の制御（遮断指示）によって遮断スイッチ１０６が遮断（ＯＦＦ）されると、第１のＲＦ回路１０５のアンテナ出力とアンテナ素子１０７との接続が切断される。
【００１７】
第１のアンテナ素子１０７は、第１の周波数帯で共振するアンテナ素子である。第１のＲＦ回路１０５は、第１の周波数帯で動作する無線高周波回路部である。
接続検出部１０８は、無線通信装置１０１とアダプタ１０２との接続がなされたかを検出する。
アダプタ１０２は接続部１０３を介して無線通信装置１０１に接続される。アダプタ１０２は、第２のＲＦ回路１０９と、第２のアンテナ素子１１１とを有する。第２のアンテナ素子１１１は、第２の結合部１１２を有する。第２のアンテナ素子１１１は、第２の周波数帯で共振するアンテナ素子である。
【００１８】
接続検出部１０８によって、無線通信装置１０１とアダプタ１０２の接続が検出されると、制御部１０４は第１のＲＦ回路１０５の動作を停止し、代わりに第２のＲＦ回路１０９を動作させる（起動する）。第２のＲＦ回路１０９は、第２の周波数帯を含む二つの周波数帯で動作する無線高周波回路部である。第２のアンテナ素子１１１は第２のＲＦ回路１０９に接続されている。
第１のアンテナ素子１０７に設けられた第１の結合部１１０と、第２のアンテナ素子１１１に設けられた第２の結合部１１２とは接続可能である。
【００１９】
接続検出部１０８が上記した接続を検出し、第１の結合部１１０が第２の結合部１１２に接続され、第１のＲＦ回路１０５のアンテナ出力と第１のアンテナ素子１０７との接続が切断されと、第１および第２のアンテナ素子が一体的に機能できる。一体となった２つのアンテナ素子１０７、１１１は、新たなアンテナ素子（１つの結合アンテナ）１１３として機能する。新たなアンテナ素子１１３は、以下の記載において、第３のアンテナ素子１１３と称する。
第２の結合部１１２は、所定のフィルタリング機能を有するＲＬＣ回路１１４を備えている。ＲＬＣ回路１１４は、抵抗器（Ｒ）とコイル（Ｌ）とコンデンサ（Ｃ）を直列または並列に接続した電気回路であり、例えば、Ｃの値を変化させることによって第３のアンテナ素子１１３の共振周波数を調整することができる。
【００２０】
（デジタルカメラとアダプタ）
図２は、本実施形態のアンテナ接続構造を説明するための図である。図２では、図１の無線通信装置１０１が、無線通信機能を備えるデジタルカメラ２００として描かれている。デジタルカメラは撮像装置の一例である。デジタルカメラ２００は、略直方体形状の本体２０１と、第１の無線モジュール２０２と、第１のアンテナ素子２０３と、凹状の接続部２０４と、レンズユニット２０５と、を有する。第１の無線モジュール２０２と、第１のアンテナ素子２０３とは、本体２０１の内部において、本体２０１の右側面２０１ａの近傍に配置されている。凹状の接続部２０４は、本体２０１の右側面２０１ａの下部に設けられている。第１のアンテナ素子２０３は、第１の無線モジュール２０２に接続されている。レンズユニット２０５は、本体２０１の正面２０１ｂに設けられている。デジタルカメラ２００は、本体２０１の内部に第１の無線モジュール２０２と第１のアンテナ素子２０３を内蔵（収容）している。
【００２１】
アダプタ２１０（図１の符号１０２）は、略直方体形状の筐体２１１と、第２の無線モジュール２１２と、第２のアンテナ素子２１３と、凸状の接続部２１４とを有する。第２の無線モジュール２１２は、第１の無線モジュール２０２と性能的に重複する上位互換の無線機能を有する無線モジュールである。第２の無線モジュール２１２と、第２のアンテナ素子２１３は、筐体２１１の内部において、筐体２１１の右側面２１１ａに平行に配置されている。第２のアンテナ素子２１３は第２の無線モジュール２１２に接続されている。凸状の接続部２１４は、筐体２１１の左側面２１１ｂの下部に設けられている。凸状の接続部２１４は、デジタルカメラ２００の凹状の接続部２０４に嵌合する形状を有している。アダプタ２１０は、デジタルカメラ２００の凹状の接続部２０４に、凸状の接続部２０８を介して接続される。アダプタ２１０の左側面２２１ｂの大きさは、デジタルカメラ２０１の右側面２０１ａの大きさに等しい。
【００２２】
アダプタ２１０がデジタルカメラ２００に取り付けられると、アダプタ２１０の筐体２１１がデジタルカメラ２００の右側に露出した状態でデジタルカメラ２００に付設されることになる。より詳しくは、アダプタ２１０がデジタルカメラ２００に取り付けられると、アダプタ２１０の左側面（つまり筐体２１１の左側面２１１ｂ）が、デジタルカメラ２００の右側面（つまりデジタルカメラ本体２０１の右側面２０１ａ）に接触した状態になる。
アダプタ２１０がデジタルカメラ２００に取り付けられると、第１の無線モジュール２０２と第２の無線モジュール２１２は、所定距離を隔てて平行になる。
【００２３】
第１の無線モジュール２０２および第１のアンテナ素子２０３はデジタルカメラ２００の本体２０１に内部に組み込まれている（内蔵されている）ので、図２では破線で描かれている。また、第２の無線モジュール２１２および第２のアンテナ素子２１３はアダプタ２０１の筐体２１１の内部に組み込まれているので、破線で描かれている。
なお、図１の第１のＲＦ回路１０５は図２の第１の無線モジュール２０２に含まれており、図１の第２のＲＦ回路１０９は図２の第２の無線モジュール２１２に含まれている。また、図１の接続部１０３は図２の２つの接続部２０４および２１４に対応している。
【００２４】
（アンテナ素子の接続構造）
図３は、図２に示したデジタルカメラ２００にアダプタ２１０が接続される際の、アンテナ素子の接続構造のみを示した図である。
第１の無線モジュール２０２と第１のアンテナ素子２０３は、平板状の第１の基板３０１の上面３０１aに設けられている。第１のアンテナ素子２０３は、第１の基板３０１上に導体パターンで設けられている。第１の基板３０１は、デジタルカメラ２００の右側面２０１ａに平行に配置されている。
【００２５】
第２の無線モジュール２１２と第２のアンテナ素子２１３は、平板状の第２の基板３０２の上に設けられている。第２のアンテナ素子２１３は、第２の基板３０２上に導体パターンで設けられている。第２の基板３０２は、基板３０１とほぼ同じ形状を有している。図２からも分かるように、アダプタ２１０がデジタルカメラ２００に取付けられると、第１の基板３０１と第２の基板３０２は、所定間隔を置いて対向するようになる。第２の無線モジュール２１２は、アダプタ２１０に組み込まれているモジュールである。第２の無線モジュール２１２の上には、シールドケース３０３が設けられている。
【００２６】
結合部３０５は２つのアンテナ素子２０３と２１３を接続する。結合部３０５は、図１の第１の結合部１１０および第２の結合部１１２で示された部分である。図３では、２つの結合部１１０と１１２が一体となり、一つの部材（結合部３０５）として示されている。結合部３０５は、例えば、第１のアンテナ素子２０３から上方に延びる第１の結合部１１０が、第２のアンテナ素子２１３から下方に延びる第２の結合部１１２に嵌合して形成される。第１の結合部１１０と第２の結合部１１２の長さは、第１の結合部１１０と第２の結合部１１２が結合できる範囲で適宜選択され得る。
【００２７】
（アンテナ素子単体の特性）
２つの無線モジュール２０２と２１２に接続された２つのアンテナ素子２０３と２１３は、基本的に同じデザイン（構造）を有している。アンテナ素子２０３、２１３の単体でのＳ１１特性は、図４に示されている。Ｓ１１は、回路（アンテナ素子）の散乱行列パラメタ（Ｓｃａｔｅｒｉｎｇ  ｐａｒａｍｅｔｅｒ）であり、Ｓパラメタと称されることもある。Ｓ１１は、例えば、回路の入力端（端子１）から反射される電力を、回路の入力端に入射する電力で割った値である。Ｓ１１は、例えば、ネットワークアナライザを用いて測定する。図４の横軸は入力信号（電力）の周波数を表し、縦軸は端子１の反射損失を表す。図４から、アンテナ素子２０３、２１３は、およそ２．４ＧＨｚ帯で共振をしていることがわかる。つまり、アンテナ素子２０３、２１３の共振周波数帯が、およそ２．４ＧＨｚであることがわかる。第１のアンテナ素子の共振周波数帯は、第２のアンテナ素子の共振周波数帯と重複している。
【００２８】
（結合アンテナ素子の特性）
図３の結合部３０５を介して結合されたアンテナ素子２０３および２１３は、第１の無線モジュール２０２と第１のアンテナ素子２０３の接続を切断することにより、一つのアンテナ素子（第３のアンテナ素子１１３）として動作する。第３のアンテナ素子１１３は、第２のアンテナ素子２１３より長いので、第２のアンテナ素子２１３の共振周波数より低い周波数帯で共振することができる。第３のアンテナ素子１１３のＳ１１特性は、図５に示されている。第３のアンテナ素子１１３は、アダプタ２１０に元々あった２．４ＧＨｚ帯での共振に加え、新たに９００ＭＨｚ帯でも共振するデュアルバンドアンテナになっていることがわかる。２．４ＧＨｚ帯と９００ＭＨｚ帯の切替えは、ＲＬＣ回路１１４が有するフィルタリング機能により行われる。
【００２９】
第３のアンテナ素子（結合アンテナ素子）１１３のアンテナ全長は、第３の周波数（９００ＭＨｚ）の波長のおおよそ１／４になっている。第１のアンテナ素子２０３の共振周波数帯は、第３のアンテナ素子１１３の共振周波数帯と重複している。
なお、アダプタ２１０をデジタルカメラ２００に取付けた時の周辺環境により、第３のアンテナ素子１１３の共振周波数は変動を起こすことがある。その場合、例えば結合部３０５の接続端にインダクタやキャパシタから成る整合回路を配置することで、アダプタ実装時の周波数ずれ（共振周波数変動）を調整することができる。
【００３０】
（実施形態１の効果）
本実施形態では、第１の無線モジュール２０２と性能的に重複する上位互換の無線機能を有する第２の無線モジュール２１２がデジタルカメラ２００に後付けされているが、第１および第２のアンテナ素子の全てはデジタルカメラ２００によって使用される。よって、アダプタ２１０がデジタルカメラ２００に後から追加されても、不使用になるアンテナ素子は発生しない。したがって、２つのアンテナ素子２０３と２１３を効率よく利用することができる。
【００３１】
本実施形態では、接続構造（結合部１１０、１１２）を持つ無線通信装置１０１とアダプタ１０２が一体となって動作する無線通信装置１００が提供される。そして、接続前の２つの無線機器（１０１、１０２）がそれぞれ持つアンテナ素子１０７、１１１を、無線機器の接続時に結合することで、新たな周波数（９００ＭＨｚ）のアンテナ素子としても動作させることを可能とした。よって、予めアダプタ２１０に搭載する第２のアンテナ素子２１３のサイズを９００ＭＨｚ用のサイズにする必要がなくなるので、第２のアンテナ素子２１３のサイズを小型化することができる。
【００３２】
本実施形態では、デジタルカメラ２００とアダプタ２１０が接続されると、第１の無線モジュール２０２と第１のアンテナ素子２０３との接続が遮断され、第１のアンテナ素子２０３と第２のアンテナ素子２１３が接続される。その結果、無線通信装置１００は、第２の無線モジュール２１２が動作可能でかつ第２のアンテナ素子２１３のみでは動作しない新たな周波数でも動作することが可能となる。新たな周波数は、アダプタ２１０が動作できる２．４ＧＨｚと９００ＭＨｚのうちのより低い周波数（９００ＭＨｚ）である。こうすることで、周波数に応じたサイズ（おおよそ１／４波長）が必要なアンテナ素子１１３をアンテナ素子２０３と２１３の合成（結合アンテナ素子）で実現できる。よって、アダプタ２１０が単独で所望の周波数（９００ＭＨｚ）で動作するアンテナ素子を実装する場合よりも小さなアダプタ２１０を構成することができる（アダプタの小型化が可能となる）。
【００３３】
実施形態２
以下に、図１および図６〜図８を用いて、実施形態２を説明する。
図２に示した実施形態１では、アダプタ２１０がデジタルカメラ２００の右側面に取り付けられると、アダプタ２１０の筐体２１１の全体がデジタルカメラ２００の右側に露出する。実施形態２では、アダプタがデジタルカメラの右側面からデジタルカメラに取り付けられると、アダプタの筐体の全体がデジタルカメラの本体に収容される。つまり、アダプタがデジタルカメラに取り付けられても、アダプタはデジタルカメラの側部に露出しない。以下、実施形態１との相違点を中心に、実施形態２を説明する。図１に示した無線通信装置１０１の機能ブロック図は、実施形態２においても使用する。また、実施形態１と同様な構成要素には同様な参照符号を付ける。
【００３４】
（デジタルカメラとアダプタ）
図６は、本発明の実施形態２におけるアンテナ接続構造を説明するための図である。図６では、無線通信装置１０１が、無線通信機能を備えるデジタルカメラ６００として描かれている。デジタルカメラ６００は、略直方体形状の本体６０１と、第１の無線モジュール２０２と、第１のアンテナ素子２０３と、凹状の接続部６０４と、レンズユニット６０５と、を有する。第１の無線モジュール２０２と第１のアンテナ素子２０３は、本体６０１の内部において本体６０１の右側面６０１ａの近傍に設けられている。第１のアンテナ素子２０３は第１の無線モジュール２０２に接続されている。凹状の接続部６０４は、本体６０１の右側面６０１ａの上部および上面６０１ｃの右端に亘って設けられている。レンズユニット６０５は、本体６０１の正面６０１ｂに設けられている。デジタルカメラ６００は、本体６０１の内部に第１の無線モジュール２０２と第１のアンテナ素子２０３を内蔵している。第１の無線モジュール２０２と第１のアンテナ素子２０３はデジタルカメラ６００に内蔵されている（デジタルカメラ本体６０１の内部に組み込まれている）ので、図６では破線で示されている。
【００３５】
アダプタ６１０（図１の符号１０２）は、略直方体形状の筐体６１１と、第２の無線モジュール２１２と、第２のアンテナ素子２１３とを有する。第２の無線モジュール２１２と第２のアンテナ素子２１３は、筐体６１１の内部に設けられている。第２のアンテナ素子２１３は、第２の無線モジュール２１２に接続されている。
アダプタ６１０の形状は、アダプタ６１０全体がデジタルカメラ６００の凹状の接続部６０４に嵌合する形状（収容される形状）を有している。つまり、デジタルカメラ６００の本体６０１は、アダプタ６１０とほぼ同形の凹部（６０４）を有している。
【００３６】
アダプタ６１０がデジタルカメラ６００の凹状の接続部６０４に差し込まれて接続部６０４に収容されると、第２の無線モジュール２１２がデジタルカメラ６００の第１の無線モジュール２０２に接続される。なお、アダプタ６１０は、デジタルカメラ６００に接続される各種信号線の接続端子も有しているが、当該接続端子は図６では省略されている。
アダプタ６１０がデジタルカメラ６００に取り付けられると、アダプタ６１０の筐体６１１の全体はデジタルカメラ６００の本体６０１に収容される。この状態において、アダプタ６１０の筐体６１１の上面６１１ｂと右側面６１１ｃのみが、デジタルカメラ６００の本体６０１の上面６０１ｃと右側面６０１ａに露出した状態になる。
【００３７】
（アンテナ素子の接続構造）
図７は、図６に示したデジタルカメラ６００にアダプタ６１０が接続される際の、アンテナ素子の接続構造のみを示した図である。
第１の無線モジュール２０２と第１のアンテナ素子２０３は、第１の基板３０１の上に設けられている。第２の無線モジュール２１２と第２のアンテナ素子２１３は、第２の基板３０２の上に設けられている。第２の基板３０２は、第１の基板３０１とほぼ同じ形状を有している。第１の基板３０１はデジタルカメラ６００の本体６０１の前面６０１ｂに平行に配置されている。
結合部７０５は２つのアンテナ素子２０３と２１３を接続する。結合部７０５は、図１の第１の結合部１１０および第２の結合部１１２で示された部分である。図７では、２つの結合部１１０と１１２が一体となり、一つの部材（結合部７０５）として示されている。アンテナ素子２０３、２１３の単体でのＳ１１特性は図４に示されている。
【００３８】
（結合アンテナ素子の特性）
結合部７０５を介して接続されたアンテナ素子２０３および２１３は、第１の無線モジュール２０２と第１のアンテナ部２０３の接続を切断することにより、一つのアンテナ素子（第３のアンテナ素子１１３）として動作する。第３のアンテナ素子１１３のＳ１１特性は、図８に示されている。第３のアンテナ素子１１３は、元々あった２．４ＧＨｚ帯での共振に加え、新たに９００ＭＨｚ帯でも共振するデュアルバンドアンテナになっていることがわかる。
なお、アダプタ６１０をデジタルカメラ６００に取り付けた時の周辺環境により、第３のアンテナ素子１１３の共振周波数が変動を起こす場合は、実施形態１と同様に、例えば結合部７０５の接続端にインダクタやキャパシタから成る整合回路を配置する。
【００３９】
（実施形態２の効果）
実施形態２においても、第１の無線モジュール２０２と性能的に重複する上位互換の無線機能を有する第２の無線モジュール２１２がデジタルカメラ６００に後付けされているが、第１および第２のアンテナ素子の全てがデジタルカメラ６００によって使用される。よって、アダプタ６１０がデジタルカメラ６００に後から追加されても、不使用になるアンテナ素子は発生しない。
また、追加する無線機能がより低い周波数（９００ＭＨｚ）を使用しているが、当該低い周波数だけのために大きなサイズのアンテナ素子が必要となることもない。よって、アダプタ２１０のサイズを小型化することができる。
さらに、実施形態２では、アダプタ６１０をデジタルカメラ６００に取り付けた場合、アダプタ６１０の筐体６１１が、デジタルカメラ６００の本体６０１から外方へ延出しない。よって、アダプタ６１０をデジタルカメラ６００に取り付けた後の無線通信装置１００の大きさをコンパクトにすることができる。
【００４０】
実施形態３
以下に、図１、図２および図９〜図１１を用いて、実施形態３を説明する。
図２に示した実施形態１では、第３のアンテナ素子１１３は、２．４ＧＨｚ帯での共振に加え、９００ＭＨｚ帯でも共振するデュアルバンドアンテナになった。実施形態３では、  第３のアンテナ素子が、５ＧＨｚ帯での共振に加え、２．４ＧＭＨｚ帯でも共振するデュアルバンドアンテナになる場合を説明する。
以下、実施形態１との相違点を中心に、実施形態３を説明する。以下の記載において、実施形態１と同様な構成要素には、同じ符号をつけている。図１に示した機能ブロック図と、図２に示したデジタルカメラ２００は、実施形態３でも使用する。実施形態３のアダプタ２１０Ａは、実施形態１のアダプタ２１０と同じ外観を有しているが、アダプタ２１０Ａの第２の無線モジュールと第２のアンテナ素子の形状は、実施形態１（図３）とは異なる。
【００４１】
（アンテナ素子の接続構造）
図９は、実施形態３におけるアンテナ素子の接続構造を説明するための図である。図９は、図２に示したデジタルカメラ２００にアダプタ２１０Ａが接続される際の、アンテナ素子の接続構造のみを示した図である。
第１の無線モジュール２０２と第１のアンテナ素子２０３は、第１の基板３０１の上に導体パターンで設けられている。
【００４２】
第２の無線モジュール９０３と第２のアンテナ素子９０４は、平板状の第２の基板９０６に設けられている。第２の無線モジュール９０３は、アダプタ２１０Ａに組み込まれているモジュールである。第２の無線モジュール９０３と第２のアンテナ素子９０４は、第２の基板９０６の上面９０６ａに導体パターンで設けられている。第２の無線モジュール９０３は、第２のアンテナ素子９０４に接続されている。第２の基板９０６の上面９０６ａの面積は、第１の基板３０１の上面３０１ａの面積より小さい。つまり、実施形態３の第２の基板９０６の表面積は、実施形態１の第２の基板３０２の表面積より小さい。また、実施形態３の第２のアンテナ素子９０４の形状（サイズ）は、実施形態１の第２のアンテナ素子２１３の形状より小さい。第２の無線モジュール９０３の上には、シールドケース３０３Ａが設けられている。
結合部９０５は２つのアンテナ素子２０３と９０４を接続する。結合部９０５は、図１の第１の結合部１１０および第２の結合部１１２で示された部分である。図９では、２つの結合部１１０と１１２が一体となり、一つの部材（結合部９０５）として示されている。
【００４３】
（アンテナ素子単体の特性）
第１のアンテナ素子２０３の単体でのＳ１１特性は図４に示されている。つまり、第１のアンテナ素子２０３は、およそ２．４ＧＨｚ帯で共振する。
第２の無線モジュール９０３に接続された第２のアンテナ素子９０４の単体でのＳ１１特性は、図１０に示されている。第２のアンテナ素子９０４は、およそ５ＧＨｚ帯で共振する。本実施形態では、第１のアンテナ素子２０３の共振周波数帯は、第２のアンテナ素子９０４の共振周波数帯とは異なっている。
【００４４】
（結合アンテナ素子の特性）
結合部９０５を介して接続された第１のアンテナ素子２０３および第２のアンテナ素子９０４は、第１の無線モジュール２０２と第１のアンテナ素子２０３の接続を切断することにより、一つのアンテナ素子（第３のアンテナ素子１１３Ａ）として動作する。第３のアンテナ素子１１３ＡのＳ１１特性は、図１１に示されている。第３のアンテナ素子１１３Ａは、元々あった５ＧＨｚ帯での共振に加え、新たに２．４ＧＨｚ帯でも共振するデュアルバンドアンテナになっていることがわかる。
なお、アダプタ２１０Ａをデジタルカメラ２００に取り付けた時の周辺環境により、第３のアンテナ素子１１３Ａの共振周波数が変動を起こす場合、例えば結合部９０５の接続端にインダクタやキャパシタから成る整合回路を配置する。
【００４５】
（実施形態３の効果）
実施形態３においても、第１の無線モジュール２０２と性能的に重複する上位互換の無線機能を有する第２の無線モジュール９０３がデジタルカメラ２００に後付けされているが、第１および第２のアンテナ素子の全てがデジタルカメラ２００によって使用される。よって、アダプタ２１０Ａがデジタルカメラ２００に後から追加されても、不使用になるアンテナ素子は発生しない。
また、追加する無線機能がより低い周波数（２．４ＧＨｚ）を使用しているが、追加アンテナ素子だけのためにより大きなサイズが必要となることもない。
【００４６】
本実施形態のアダプタ２１０Ａでは、あらかじめ搭載されている第２のアンテナ素子９０４は５ＧＨｚで共振するのみである。アダプタ２１０Ａがデジタルカメラ２００に接続されたときにのみ、デジタルカメラ２００は２．４ＧＨｚと５ＧＨｚのデュアルバンド動作をすることが可能となる。アダプタ２１０Ａの第２のアンテナ素子９０４のサイズは、第１のアンテナ素子２０３より小さい。よって、アダプタ２１０Ａの第２のアンテナ素子９０４のサイズが小型化され、アダプタ２１０Ａ全体も小型化される。
【００４７】
（変形例）
図１の説明において、第２のＲＦ回路１０９は、第２の周波数帯を含む二つの周波数帯で動作する無線高周波回路部であるとしたが、第２のＲＦ回路はこのような構成に限定されない。第２のＲＦ回路１０９は、第２の周波数帯を含む少なくとも２つ以上の周波数帯で動作する無線高周波回路であればよい。また、ＲＦ回路は無線高周波回路の一例であり、ＲＦ回路に代えて他の無線高周波回路を用いてもよい。
図２において、アダプタ２１０はデジタルカメラ２００の右側面に取付けられるとしたが、アダプタ２１０の取付け位置は、デジタルカメラ２００の右側面に限定されない。例えば、アダプタ２１０は、デジタルカメラ２００の左側面、前面、背面、上面または下面に取付けられてもよい。
【００４８】
図２において無線通信装置１０１は、デジタルカメラ２００としたが、無線通信装置１０１はデジタルカメラ以外でもよい。例えば、無線通信装置１０１は、無線通信機能を有するビデオカメラ、プリンタ、プロジェクタ、タブレット端末、ラップトップコンピュータ、パーソナルコンピュータ、スマートフォンなどでもよい。
【００４９】
図４において第２のアンテナ素子２１３の共振周波数は２．４ＧＨｚとしたが、これは一例であり、２．４ＧＨｚ以外の共振周波数を持つアンテナ素子を採用してもよい。また、図５において、第３のアンテナ素子１１３の共振周波数は、９００ＭＨｚと２．４ＧＨｚとしたが、これも一例であり、第３のアンテナ素子１１３の共振周波数は、９００ＭＨｚと２．４ＧＨｚ以外でもよい。
上記した実施形態では、アダプタ１０２を取り付けた後の２つの共振周波数の切替えはＲＬＣ回路１１４のフィルタリング機能を利用して行ったが、ＲＬＣ回路以外の電子部品により２つの共振周波数の切替えを行ってもよい。また、上記した実施形態では、ＲＬＣ回路１１４は第２の結合部１１２に設けられたが、ＲＬＣ回路１１４の設置位置は図１に示した位置以外でもよい。
【００５０】
上記した実施形態では、第２のアンテナ素子２１３、９０４は、第２の基板３０２、９０６上に導体パターンで設けられたが、第２のアンテナ素子２１３、９０４は針金等の線状導体により構成されてもよい。また、第１の結合部１１０と第２の結合部１１２も線状導体により構成されてよい。
上記した実施形態ではＩＥＥＥ８０２．１１規格に準拠した無線通信を行う無線通信装置１００を説明したが、他の規格に準拠した無線通信を行う無線通信装置合にも本実施形態を適用することができる。
【符号の説明】
【００５１】
１００…無線通信装置、１０１…無線機器、１０２…高機能無線アダプタ、１０７…第１のアンテナ素子、１１０…第１の結合部、１１１…第２のアンテナ素子、１１２…第２の結合部、１１３…第３のアンテナ素子、２００…デジタルカメラ 
【図１】
2019216378.tif 000003
【図２】
2019216378.tif 000004
【図３】
2019216378.tif 000005
【図４】
2019216378.tif 000006
【図５】
2019216378.tif 000007
【図６】
2019216378.tif 000008
【図７】
2019216378.tif 000009
【図８】
2019216378.tif 000010
【図９】
2019216378.tif 000011
【図１０】
2019216378.tif 000012
【図１１】
2019216378.tif 000013